(57)【特許請求の範囲】
【請求項１】
少なくとも１つのインイヤーマイク（Ｉｎ−Ｅａｒ  Ｍｉｃｒｏｐｈｏｎｅ）と、
少なくとも１つのアウトイヤーマイク（Ｏｕｔ−Ｅａｒ  Ｍｉｃｒｏｐｈｏｎｅ）と、
前記インイヤーマイクを通じて感知された信号から低音成分を抽出するインイヤー信号処理モジュール、前記アウトイヤーマイクを通じて感知された信号から高音成分を抽出するアウトイヤー信号処理モジュール、及び前記抽出された低音成分及び高音成分をミキシングして出力するミキシングモジュールを含む制御部と、
前記制御部のミキシングモジュールから出力される信号を外部機器へ伝送するための通信部と、を含み、
前記アウトイヤーマイクは、ヘッドセットの第１ヘッドに備えられた第１アウトイヤーマイクと、第２ヘッドに備えられた第２アウトイヤーマイクとを含み、
前記アウトイヤー信号処理モジュールは、前記第１アウトイヤーマイク及び前記第２アウトイヤーマイクから出力される２つの信号から時間差がある信号を除去するビームフォーミング（Ｂｅａｍｆｏｒｍｉｎｇ）モジュールと、
前記ビームフォーミングモジュールから出力される信号から騒音を除去する騒音除去モジュールと、を含み、
前記ビームフォーミングモジュール及び前記騒音除去モジュールは、前記高音成分を抽出する以前に駆動されるように形成され、
前記インイヤー信号処理モジュールは、前記インイヤーマイクからの信号生成の可否を感知するＶＡＤ（Ｖｏｉｃｅ  Ａｃｔｉｖｉｔｙ  Ｄｅｔｅｃｔｉｏｎ）モジュールを含み、  
前記インイヤーマイクからの信号生成に対応して前記ＶＡＤモジュールによって前記騒音除去モジュール及び前記ミキシングモジュールの駆動制御が行われることを特徴とする、
ヘッドセット。
【請求項２】
前記インイヤー信号処理モジュールは、前記低音成分を抽出する前に前記インイヤーマイクから出力される信号のうち、高音を上げ、また低音を下げてバランスをとるためのエンハンシングモジュールを含むことを特徴とする請求項１に記載のヘッドセット。
【請求項３】
少なくとも１つのインイヤーマイク（Ｉｎ−Ｅａｒ  Ｍｉｃｒｏｐｈｏｎｅ）と、少なくとも１つのアウトイヤーマイク（Ｏｕｔ−Ｅａｒ  Ｍｉｃｒｏｐｈｏｎｅ）を備えるヘッドセットにおける音質改善方法において、
前記インイヤーマイクを通じて感知された信号から低音成分を抽出する段階と、
前記アウトイヤーマイクを通じて感知された信号から高音成分を抽出する段階と、
前記抽出された低音成分及び高音成分をミキシングして出力する段階と、を含み、
前記アウトイヤーマイクは、ヘッドセットの第１ヘッドに備えられた第１アウトイヤーマイクと第２ヘッドに備えられた第２アウトイヤーマイクとを含み、
前記高音成分を抽出する以前に、前記第１アウトイヤーマイク及び前記第２アウトイヤーマイクから出力される２つの信号から時間差がある信号を除去するビームフォーミング（Ｂｅａｍｆｏｒｍｉｎｇ）処理を行い、
前記インイヤーマイクからの信号生成に対応して前記ビームフォーミング処理されて出力された信号から騒音を除去するとともに前記ミキシングを行うことを特徴とする、
音質改善方法。
【請求項４】
前記低音成分を抽出する段階前に、前記インイヤーマイクから出力される信号のうち、高音を上げ、また低音を下げてバランスをとるエンハンシング段階を更に含むことを特徴とする請求項３に記載の音質改善方法。
【発明の詳細な説明】
【技術分野】
【０００１】
本発明はヘッドセット（ｈｅａｄｓｅｔ）を通じて伝達される音声信号の音質を改善するための方法に対するものであって、更に具体的にはモバイル機器にヘッドセットを連結して着用した状態で通話時の使用者の実際の話し声と類似するように処理する音質改善方法とその方法を採用したヘッドセットに関するものである。
【背景技術】
【０００２】
過去には携帯電話機を手に握って通話をするのが一般的であったが、スマートフォンが普及されてから音楽を鑑賞したり、または通話をするための用途にヘッドセットが広く使用されている。
【０００３】
ヘッドセットは、通常イヤーホンの形やヘッドホンの形を有し、２つのスピーカー（ｓｐｅａｋｅｒ）と１つのマイク（ｍｉｃｒｏｐｈｏｎｅ）を備えることが一般的である。
【０００４】
使用者はヘッドセットを着用した状態でスマートフォンで音楽を再生して聞いてから電話がくると、通話機能を選択してヘッドセットを着用したまま通話する。音楽鑑賞時マイクは作動せず、通話機能が選択されるとスマートフォンは音楽再生を中断し、マイクを作動させて使用者の音声を通話相手に伝達する。同時に相手の音声をヘッドセットのスピーカーを通じて再生して使用者に聞かせる。
【０００５】
一般的にヘッドセットに付いたアウトイヤーマイク（Ｏｕｔ−Ｅａｒ  Ｍｉｃｒｏｐｈｏｎｅ）を通じて捕捉される音声信号には周囲の騒音が多く混じっているため、通話品質が低下する問題がある。
【０００６】
騒音問題を解決し、且つより簡便に着用できるヘッドセットを提供するため、有線、無線のイヤーホンの外形をそのまま維持するが、マイクをイヤーホンのヘッドに実装してマイクが使用者の耳の内部に位置するようにするインイヤーマイク（Ｉｎ−Ｅａｒ  Ｍｉｃｒｏｐｈｏｎｅ）が使用されている。
【０００７】
インイヤーマイクを使用する場合、周囲の騒音を遮断することはできるが、外耳道を通じて伝達される音声には高音成分がほぼ含まれておらず、低音成分がほとんどであるため、実際の使用者の音声との差が大きい問題がある。
【発明の概要】
【発明が解決しようとする課題】
【０００８】
本発明は、前記のような従来技術の問題点を解消するために開発されたものであって、インイヤーマイクとアウトイヤーマイクの両方を使用してヘッドセットのマイクを通じて伝達される音声信号の音質を改善するための方法及びヘッドセットを提供することにその目的がある。
【課題を解決するための手段】
【０００９】
このような目的を達成するために、本発明の一実施例によるヘッドセットは少なくとも１つのインイヤーマイク（Ｉｎ−Ｅａｒ  Ｍｉｃｒｏｐｈｏｎｅ）と、少なくとも１つのアウトイヤーマイク（Ｏｕｔ−Ｅａｒ  Ｍｉｃｒｏｐｈｏｎｅ）と、前記インイヤーマイクを通じて感知された信号から低音成分を抽出するインイヤー信号処理モジュール、前記アウトイヤーマイクを通じて感知された信号から高音成分を抽出するアウトイヤー信号処理モジュール、及び前記抽出された低音成分と高音成分をミキシングして出力するミキシングモジュールとを含む制御部と、前記制御部のミキシングモジュールから出力される信号を外部機器へ伝送するための通信部を含むことができる。
【００１０】
前記少なくとも１つのアウトイヤーマイクは、前記ヘッドセットの第１ヘッドに備えられた第１アウトイヤーマイクと、第２ヘッドに備えられた第２アウトイヤーマイクとを含み、前記アウトイヤー信号処理モジュールは、前記第１アウトイヤーマイク及び前記第２アウトイヤーマイクから出力される２つの信号から時間差がある信号を除去して使用者が発する音声のみ感知するためのビームフォーミング（Ｂｅａｍｆｏｒｍｉｎｇ）モジュールを含むことができる。
【００１１】
前記アウトイヤー信号処理モジュールは、前記ビームフォーミングモジュールから出力される信号から騒音を除去する騷音除去モジュールを更に含むことができる。
【００１２】
前記インイヤー信号処理モジュールは、前記インイヤーマイクを通じて感知される信号があれば使用者が音声を発していると判断するＶＡＤ（Ｖｏｉｃｅ  Ａｃｔｉｖｉｔｙ  Ｄｅｔｅｃｔｉｏｎ）モジュールを含み、前記騷音除去モジュールは前記ＶＡＤモジュールによって使用者が音声を発していると判断される間にのみ動作することができる。
【００１３】
前記インイヤー信号処理モジュールは、前記インイヤーマイクを通じて感知される信号があれば使用者が音声を発していると判断するＶＡＤ（Ｖｏｉｃｅ  Ａｃｔｉｖｉｔｙ  Ｄｅｔｅｃｔｉｏｎ）モジュールを含み、前記ミキシングモジュールは前記ＶＡＤモジュールによって使用者が音声を発していると判断される間にのみ動作することができる。
【００１４】
前記インイヤー信号処理モジュールは、前記低音成分を抽出する前に前記インイヤーマイクから出力される信号のうち、高音を上げ、また低音を下げてバランスをとるためのエンハンシングモジュールを含むことができる。
【００１５】
本発明の他の実施例による少なくとも１つのインイヤーマイク（Ｉｎ−Ｅａｒ  Ｍｉｃｒｏｐｈｏｎｅ）と、少なくとも１つのアウトイヤーマイク（Ｏｕｔ−Ｅａｒ  Ｍｉｃｒｏｐｈｏｎｅ）を備えるヘッドセットにおける音質改善方法は、前記インイヤーマイクを通じて感知された信号から低音成分を抽出する段階と、前記アウトイヤーマイクを通じて感知された信号から高音成分を抽出する段階と、前記抽出された低音成分及び高音成分をミキシングして出力する段階とを含むことができる。
【発明の効果】
【００１６】
前記のような本発明によると、ヘッドセットを通じて伝達されている使用者の音声信号の騒音を除去して使用者の音声に近く信号を生成することで、音質を改善することができる。
【図面の簡単な説明】
【００１７】
【図１】本発明の一実施例によるヘッドセットの外形を説明するための図面である。
【図２】本発明の一実施例によるヘッドセットの構成を説明するための機能ブロック図である。
【図３】本発明の一実施例によるヘッドセットの制御部の構成を説明するための機能ブロック図である。
【図４】本発明の他の実施例によるヘッドセットの外形を説明するための図面である。
【図５】本発明の他の実施例によるヘッドセットの構成を説明するための機能ブロック図である。
【図６】本発明の他の実施例によるヘッドセットの制御部の構成を説明するための機能ブロック図である。
【図７】本発明の一実施例によったヘッドセットにおける音質改善方法を説明するための流れ図である。
【発明を実施するための形態】
【００１８】
本明細書において使用される用語について簡略に説明し、また本発明について具体的に説明するようにする。  
【００１９】
本発明において使用される用語は、本発明における機能を考慮しつつ、できる限り現在広く使用されている一般的な用語を選択したが、これは当該分野に従事する技術者の意図、または判例、新たな技術の出現などによって変わる。また、特定の場合は出願人が任意に選定した用語もあり、この場合、該当する発明の説明部分において詳しくその意味を記載することにする。従って、本発明において使用される用語は単なる用語の名称ではなく、その用語が有する意味と本発明の全般にわたる内容に基づいて定義されなければならない。  
【００２０】
明細書全体において、ある部分がある構成要素を『含む』という時、これは特に反対される記載がない限り、他の構成要素を除外するのではなく、他の構成要素をさらに含ませることができることを意味する。また、明細書に記載された『…手段』、『．．．部』、『モジュール』などの用語は少なくとも１つの機能や動作を処理する単位を意味し、これはハードウェアまたはソフトウェアで具現されるか、ハードウェアとソフトウェアの組み合わせによって具現されることができる。
【００２１】
下記では添付した図面を参考にして本発明の実施例について、本発明が属する技術分野における通常の知識を有する者が容易に実施できるように詳しく説明する。
【００２２】
しかし、本発明は様々な相違する形態で具現されることができるし、ここで説明する実施例に限られない。そして図面で本発明を明確に説明するために説明と関係のないところは省略しており、明細書の全体にかけて類似した部分については類似した図面符号をつけた。
【００２３】
図１は、本発明の一実施例によるヘッドセットの外形を説明するための図面である。
【００２４】
図１を参照する。本発明によるヘッドセットは使用者の耳に着用される第１ヘッド１１０及び第２ヘッド１２０を含んでおり、両ヘッド１１０、１２０にはそれぞれスピーカーユニット（未図示）が備えられており、両ヘッドの１つである第１ヘッド１１０にはインイヤーマイク１１１が、第２ヘッド１２０にはアウトイヤーマイク１２１が配置される。実施例によってはインイヤーマイク１１１とアウトイヤーマイク１２１が同一のヘッドに実装される。
【００２５】
人の声は口の外に出ることもあるが、耳の内側に鼓膜を通じて伝達されることもある。耳を塞いで話をしてみると、本人の声が聞こえてくる場合がここに該当する。  
【００２６】
従って、イヤーホンヘッド１１０にインイヤーマイク１１１を設けてイヤーホンを着用する際、マイクが耳の内側に位置するようにすることで、外部の騒音を遮断しつつ耳の内側に伝達される声だけが伝達されるようにすることができる。
【００２７】
このように、インイヤーマイク１１１は使用者が耳に着用した際に使用者の外耳道内に位置するマイクである。インイヤーマイク１１１は着用時に使用者の外耳道に密着されるように配置されたり、使用者の外耳道内向きに配置し得る。インイヤーマイク１１１が使用者の外耳道に密着せず、外耳道内向きに配置される場合、耳の内側に伝達される声をより効率的に捕捉し得る。
【００２８】
インイヤーマイク１１１を通じて受信される信号には、人の音声のうち高音成分はほとんどなくなって低音だけが残っているため、実際に人が物を言う音と違って聞こえる。よって、本発明においてインイヤーマイク１１１は音声信号のうち低音を捕捉する用途に使用される。また、インイヤーマイク１１１に入ってくる信号はひたすら人の話し声だけで、外部の騒音は遮断されるため、インイヤーマイク１１１を用いると人が言葉を話している最中かどうかを判断することができる。
【００２９】
一方、アウトイヤーマイク１２１を通じて受信される信号には人の音声だけでなく、外部の騒音が混じっている可能性もある。よって、本発明においてはアウトイヤーマイク１２１に入ってくる信号のうち使用者の話し声だけを切り取って、高音のところを抽出して使用する。    
【００３０】
本発明においては、前記のようにインイヤーマイク１１１を用いて抽出した低音成分と、アウトイヤーマイク１２１を通じて受信された信号の処理過程で抽出した高音成分をミキシングすることで、実際の使用者の音声と近い信号を再現し、騒音を除去した高品質の音響信号が獲得できる。
【００３１】
図２は、本発明の一実施例によるヘッドセットの構成を説明するための機能ブロック図である。
【００３２】
図２を参照する。ヘッドセット２００はスマートフォン、携帯電話機などの外部機器２１０と連結される。外部機器２１０はヘッドセット２００へ制御信号及び音響信号を伝送し、ヘッドセット２００のマイク２４１、２５１を通じて音響信号が受信できるコンピューティング装置であって音響情報の再生、通話機能及び／又は音声認識機能を有する装置である。
【００３３】
外部機器２１０は、移動通信システムを利用して音声通話、ショートメッセージサービス（ＳＭＳ：Ｓｈｏｒｔ  Ｍｅｓｓａｇｅ  Ｓｅｒｖｉｃｅ）、データの送受信サービスなどを利用することができ、カメラを内蔵して使用者の要求に応じて被写体を撮影したり、ＭＰ３プレーヤーを内蔵して使用者の要求に応じて音楽を再生することができるスマートフォンなどの携帯用電話機と具現できる。
【００３４】
外部機器２１０とヘッドセット２００間の通信のために有線または無線通信方式を利用することができ、その例としてブルートゥース（Ｂｌｕｅｔｏｏｔｈ（登録商標））、インフラレッド（Ｉｎｆｒａｒｅｄ（登録商標））、ジグビ（Ｚｉｇｂｅｅ（登録商標））などの通信方式が利用できるが１つの方法に限られない。
【００３５】
図２を参照する。本発明の一実施例によるヘッドセット２００は、インイヤーマイク及び第１スピーカーユニット２４２を備えた第１ヘッド２４０と、アウトイヤーマイク２５１及び第２スピーカーユニット２５２を備えた第２ヘッド２５０を含み、外部機器２１０との通信のための通信部２３０、通信部２３０で受信された音響信号を第１スピーカーユニット２４２及び／又は第２スピーカーユニット２５２で出力し、マイク２４１、２５１を通じて入力された音声信号に対する音質改善を処理し、通信部２３０を通じて外部機器２１０へ送信するなどのオーディオ処理を遂行する回路と具現される制御部２２０を含むことができる。
【００３６】
図３は、本発明の一実施例によるヘッドセットの制御部２２０の構成を説明するための機能ブロック図である。
【００３７】
図３を参照する。制御部２２０はインイヤーマイク２４１を通じて感知された信号から低音成分を抽出するインイヤー信号処理モジュール３１０、アウトイヤーマイク２５１を通じて感知された信号から高音成分を抽出するアウトイヤー信号処理モジュール３２０、及び前記の抽出された低音成分及び高音成分をミキシングして出力するミキシングモジュール３３０を含むことができる。    
【００３８】
インイヤー信号処理モジュール３１０によって抽出される低音成分は、予め定められた周波数である第１周波数以下の低周波数信号を含み、前記第１周波数を超える高周波数信号をフィルタリングする方法で獲得し得る。
【００３９】
アウトイヤー信号処理モジュール３２０によって抽出される高音成分は予め定められた周波数である第２周波数以上の高周波数信号を含み、前記第２周波数未満の低周波数信号をフィルタリングする方法で獲得し得る。
【００４０】
また、制御部２２０のミキシングモジュール３３０から出力される信号は、通信部２３０を通じて外部機器へ伝送される。
【００４１】
一方、本発明はインイヤーマイク及び／又はアウトイヤーマイクが複数備えられたヘッドセットにも適用し得る。
【００４２】
インイヤーマイクが複数となる場合、ゲイン（ｇａｉｎ）が良くなって音量が増加されるため、通話品質を更に高めることができる。この場合、複数のインイヤーマイクについて抽出された低音信号をミキシングして使用することができる。ミキシングされた低音信号はアウトイヤーマイクを通じて捕捉された音声信号から抽出された高音部分とミキシングされて出力する。
【００４３】
また、アウトイヤーマイクが複数となる場合、例えば、２つである場合は、図４乃至図６に示された実施例のように処理することができる。
【００４４】
図４は、本発明の他の実施例によるヘッドセットの外形を説明するための図面である。
【００４５】
図４を参照する。ヘッドセットは使用者の耳に着用される第１ヘッド４１０及び第２ヘッド４２０を含めており、両ヘッド４１０、４２０にはそれぞれスピーカーユニット（未図示）が備えられており、両ヘッドの１つである第１ヘッド４１０にはインイヤーマイク４１１及びアウトイヤーマイク４１２が、第２ヘッド４２０にはアウトイヤーマイク４２２が配置される。即ち、アウトイヤーマイク４１２、４２２が両ヘッド４１０、４２０に装着されている。
【００４６】
図５は、本発明の他の実施例によるヘッドセットの構成を説明するための機能ブロック図である。
【００４７】
図５を参照する。ヘッドセット５００は、スマートフォン、携帯電話機などの外部機器２１０と連結される。外部機器２１０とヘッドセット５００間の通信のために有線または無線通信方式を利用することができ、その例としてブルートゥース（Ｂｌｕｅｔｏｏｔｈ）、インフラレッド（Ｉｎｆｒａｒｅｄ）、ジグビ（Ｚｉｇｂｅｅ）などの通信方式が利用できるが１つの方法に限られない。
【００４８】
図５を参照する。本発明の一実施例によるヘッドセット５００は、インイヤーマイク５４１、第１スピーカーユニット５４２及びアウトイヤーマイク５４３を備えた第１ヘッド５４０と、アウトイヤーマイク５５１及び第２スピーカーユニット５５２を備えた第２ヘッド５５０を含み、外部機器２１０との通信のための通信部５３０、通信部５３０で受信された音響信号を第１スピーカーユニット５４２及び／又は第２スピーカーユニット５５２で出力し、マイク５４１、５４３、５５１を通じて入力された音声信号に対する音質改善を処理し、通信部５３０を通じて外部機器２１０へ送信するなどのオーディオ処理を遂行する回路と具現される制御部５２０を含むことができる。
【００４９】
図６は、本発明の他の実施例によるヘッドセットの制御部５２０の構成を説明するための機能ブロック図である。
【００５０】
図６を参照する。制御部５２０はインイヤーマイク５４１を通じて感知された信号から低音成分を抽出するインイヤー信号処理モジュール６１０、アウトイヤーマイク５４３、５５１を通じて感知された信号から高音成分を抽出するアウトイヤー信号処理モジュール６２０、及び前記の抽出された低音成分及び高音成分をミキシングして出力するミキシングモジュール６３０を含むことができる。
【００５１】
インイヤー信号処理モジュール６１０は、低音成分を抽出する前にインイヤーマイク５４１から出力される信号のうち、高音を上げ、また低音を下げてバランスをとるためのエンハンシング（Ｅｎｈａｎｃｉｎｇ）モジュール６１１を含むことができる。人の音声は高音よりは低音成分が多く含まれているため、実際に相手によく聞いてもらうために高音は上げ、低音は下げてバランスをとる。
【００５２】
また、インイヤー信号処理モジュール６１０はエンハンシングモジュール６１１によってバランスが取られた信号から低音成分を抽出する低周波信号抽出モジュール６１２を含むことができる。抽出される低音成分は予め定められた周波数である第１周波数以下の低周波数信号を含み、前記第１周波数を超える高周波数信号をフィルタリングする方法で獲得し得る。
【００５３】
一方、インイヤーマイク５４１は使用者の耳の内部に装着され、外部の騒音なしに人の声だけ捕捉するので、インイヤーマイク５４１を通じて信号が入ってきたら使用者が言葉を話していると判断し得る。インイヤー信号処理モジュール６１０はインイヤーマイク５４１を通じて感知される信号があれば使用者が音声を発していると判断するＶＡＤ（Ｖｏｉｃｅ  Ａｃｔｉｖｉｔｙ  Ｄｅｔｅｃｔｉｏｎ）モジュール６１３を含むことができる。
ＶＡＤモジュール６１３は、前記判断の結果として音声感知信号を出力し、出力される音声感知信号はミキシングモジュール６３０及び／又は騷音除去モジュール６２２と認可され、使用者が音声を発する間にのみ低音成分と高音成分のミキシングと騷音除去が遂行されるように制御することができる。
【００５４】
アウトイヤー信号処理モジュール６２０は、以下のような構成を含むことでアウトイヤーマイク５４３、５５１によって捕捉される音響信号のうち、使用者の話し声だけを切り取ってここで高音成分のみ抽出する。  
【００５５】
アウトイヤー信号処理モジュール６２０は、第１アウトイヤーマイク５４３及び第２アウトイヤーマイク５５１から出力される２つの信号から時間差がある信号を除去して使用者が発する音声だけ感知するためのビームフォーミング（Ｂｅａｍｆｏｒｍｉｎｇ）を遂行するビームフォーミングモジュール６２１を含むことができる。
ビームフォーミングは特定方向の音のみ取る技術であって、これを利用すれば、２つのマイク信号により使用者の正面から、つまり口から出す音のみを捕捉することができる。２つのアウトイヤーマイク５４３、５５１は、両方ヘッドの対応する位置に装着され、この場合使用者の口から反対方向に同一距離に位置する。音の発生地点である使用者の口から両方のマイク５４３、５５１までのディレーを分析し、時間差が出る信号を全て除去することがビームフォーミングであり、結果的に使用者の口から出す音だけを残して周りから入ってくる騒音はほとんど除去できるようになる。    
【００５６】
ビームフォーミングモジュール６２１から出力される信号は、ＮＳ（Ｎｏｉｓｅ  Ｓｕｐｐｒｅｓｓｉｏｎ）モジュール６２２によってノイズを除去することができる。この時ＶＡＤモジュール６１３によって使用者が言葉をしていると判断される間にのみＮＳモジュール６２２が動作するようにして使用電力を節約することができる。
【００５７】
アウトイヤー信号処理モジュール６２０は、ＮＳモジュール６２２から出力されるノイズが除去された信号から高音成分のみを抽出する高周波信号抽出モジュール６２３を更に含むことができる。この時、抽出される高音成分は予め定められた周波数である第２周波数以上の高周波数信号を含み、前記第２周波数未満の低周波数信号をフィルタリングする方法で獲得し得る。
【００５８】
制御部５２０は、低周波信号抽出モジュール６１２から出力される低音成分と高周波信号抽出モジュール６２３から出力される高音成分をミキシングするミキシングモジュール６３０を含み、ミキシングモジュール６３０から出力される信号は通信部５４０を通じて外部機器へ伝送される。ミキシングモジュール６３０から出力される信号は実際の使用者の声に近い信号になる。また、ＶＡＤモジュール６１３によって使用者が言葉をしていると判断される間にのみミキシングモジュール６３０が動作するようにして使用電力を節約することができる。
【００５９】
図７は本発明の一実施例によるヘッドセットにおける音質改善方法を説明するための流れ図である。
【００６０】
図７を参照する。インイヤーマイクを通じて感知された信号から低音成分が抽出され（Ｓ７０２）、アウトイヤーマイクを通じて感知された信号から高音成分が抽出される（Ｓ７０４）。次に、抽出された低音成分及び高音成分をミキシングして出力する（Ｓ７０６）。各段階で行われる詳細なプロセスは図１乃至図６を参照して説明した通りである。
【００６１】
本発明の一実施例による方法は、様々なコンピュータ手段を通じて行うことができるプログラム命令の形態で具現されてコンピュータ読み出し可能な媒体に記録されことができる。前記コンピュータ読み出し可能な媒体はプログラム命令、データファイル、データ構造などを単独で又は組み合わせて含むことができる。前記媒体に記録されるプログラム命令は、本発明のために特別に設計されて構成されたものであり、または当業者において公知されて使用可能なものかもしれない。
コンピュータ読み出し可能な記録媒体の例として、ハードディスク、フロッピーディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びロム（ＲＯＭ）、ラム（ＲＡＭ）、フラッシュメモリなどのようなプログラム命令を格納し、また遂行するように特別に構成されたハードウェア装置が含まれる。プログラム命令の例としてコンパイラによって作られているような機械語コードだけでなく、インタープリターなどを使用してコンピュータによって実行される高級言語コードを含む。  
【００６２】
以上、本発明の実施例について詳細に説明したが、本発明の権利範囲はこれに限られることはなく、請求の範囲において定義している本発明の基本概念を用いた当業者の多くの変形及び改良の形態も、また本発明の権利範囲に属する。
【符号の説明】
【００６３】
２００、５００  ヘッドセット
２１０  外部機器
２２０、５２０  制御部
２３０、５３０  通信部
１１０、２４０、４１０、５４０  第１ヘッド
１２０、２５０、４２０、５５０  第２ヘッド
１１１、２４１、４１１、５４１  インイヤーマイク
２４２、５４２  第１スピーカーユニット
２５２、５５２  第２スピーカーユニット
１２１、２５１、４１２、４２２、５４３、５５１  アウトイヤーマイク
３１０、６１０  インイヤー信号処理モジュール
３２０、６２０  アウトイヤー信号処理モジュール
３３０、６３０  ミキシングモジュール
６１１  エンハンシングモジュール
６１２  低周波信号抽出モジュール
６１３  ＶＡＤモジュール
６２１  ビームフォーミングモジュール
６２２  ＮＳモジュール
６２３  高周波信号抽出モジュール
【図１】
0006419222.tif 000002
【図２】
0006419222.tif 000003
【図３】
0006419222.tif 000004
【図４】
0006419222.tif 000005
【図５】
0006419222.tif 000006
【図６】
0006419222.tif 000007
【図７】
0006419222.tif 000008